(57)【要約】【課題】従来の電力制御システムでは、使用が許可されない機器が使用可能となるためにはユーザーにより他の機器の電力を抑える制御をする必要があり、その手間がかかった。【解決手段】ＩＨ調理器１が操作されて総電力がしきい値Ｐ１以上となると、各家電機器の機器情報を入手し、機器情報に従って第２の家電機器１０の電力Ｐｗ２、第３の家電機器１１の電力Ｐｗ３の削減を行う。また、シーケンス記憶手段７が記憶する電力情報に従ってＩＨ調理器１の電力Ｐｗ１を仮決定し、現在の電流制限器２１の余裕電力であるＰ１−Ｐｗ２−Ｐｗ３が第１の家電機器の仮決定した電力Ｐｗ１と比較して余裕電力よりも電力Ｐｗ１が大きければ、Ｐｗ１を余裕電力Ｐ１−Ｐｗ２−Ｐｗに変更し、ＩＨ調理器１を決定した電力Ｐｗ１で動作するように、制御を行う。【選択図】図７
2010161888.tif 000002
【特許請求の範囲】
【請求項１】
有線または無線による通信を介して宅内の家電機器と接続する電力制御装置であって、
前記家電機器のそれぞれの使用電力量を算出する電力算出手段と、
宅内で使用できる電力の上限値を設定する電力上限値設定手段と、
前記家電機器の使用電力値を指定する電力制御信号を前記家電機器へ出力する電力制御手段とを備え、
前記電力制御手段は、
（ステップ１）前記家電機器のうち特定の家電機器である特定家電機器の使用電力量と前記特定家電機器以外の家電機器の使用電力量との総和が前記電力上限値設定手段により設定された上限値以上となると、前記特定家電機器以外の家電機器に対して使用電力量を所定分削減するための電力制御信号を前記電力制御手段から出力させる。
（ステップ２）前記電力上限値設定手段により設定される上限値から、前記特定家電機器の使用電力量と前記ステップ１により使用電力量が削減された特定家電機器以外の家電機器の使用電力量との総和を減じた値を指定する電力制御信号を、前記電力制御手段から前記特定家電機器へ出力させる。
を行う電力制御装置。
【請求項２】
有線または無線による通信ネットワーク部を介して接続されたＩＨクッキングヒータと家電機器と電力制御装置で構成する電力制御システムにおいて、
前記ＩＨクッキングヒータ及び前記家電機器は、
家電機器の消費電力を測定または把握し、電力信号として出力する電力検知手段と、
前記通信ネットワーク部を介して電力制御システムおよび他の家電機器と、電力情報信号、電力制御信号または家電機器の操作情報の通信を行う家電情報通信手段と、
前記家電情報通信手段から入手された電力制御信号、及び、電力検知手段による電力信号に基づいて家電機器の制御を行う家電機器制御手段と、
を備え、
さらに前記ＩＨクッキングヒータには、
前記ＩＨクッキングヒータの加熱電力を記憶し、コイル制御信号として出力するシーケンス記憶手段と、
前記シーケンス記憶手段のコイル制御信号に従ってコイルを制御するコイル電力制御手段と、
加熱を行うコイルと、
を備え、
前記電力制御装置は、
商用電源の１つ以上の電気系統の電流を検知する電流検知手段と、
商用電源の電圧を検知する電圧検知手段と、
前記電流検知部と前記電圧検知部の検知情報から電力を算出する電力算出手段と、
家電機器と通信する電力制御通信手段と、
前記電力算出手段で算出される電力の上限値を設定する電力上限値設定手段と、
家電機器の使用優先度を設定する優先度設定手段と、
前記電流上限値設定手段による電流上限値、前記電力上限値設定手段による電力上限値、前記優先度設定手段による優先度、前記電力制御通信手段からの前記家電機器の通信情報を入力し、前記家電機器の電力値を電力制御信号として決定し、前記電力制御通信手段に出力する電力制御手段と、
を備えた電力制御システム。
【請求項３】
電力制御装置の優先度設定手段は、ＩＨクッキングヒータの優先度が１位とすることを特徴とする請求項２に記載の電力制御システム。
【請求項４】
ＩＨクッキングヒータの機器情報記憶手段は、時間帯別の使用頻度関数を記憶する使用頻度関数記憶手段と、使用頻度関数記憶手段に従ってＩＨクッキングヒータの使用時間を予測する使用時間帯予測手段を備えたことを特徴とする請求項２または３に記載の電力制御システム。
【請求項５】
家電機器には、ＩＨクッキングヒータの使用終了予測時間、使用電力等の使用情報を報知する手段を設けたことを特徴とする請求項２から４のいずれか１項に記載の電力制御システム。
【請求項６】
家電機器の１つは、エアコンであることを特徴とした請求項２から５のいずれか１項に記載の電力制御システム。
【請求項７】
エアコンの優先順位は２位以下であることを特徴とした請求項６に記載の電力制御システム。
【請求項８】
エアコンの家電機器制御手段は、コンプレッサの回転数を制御する構成とする請求項６または７記載の電力制御システム。
【請求項９】
エアコンの家電機器制御手段は、送風量を決めるモータの回転数を制御する構成とする請求項６から８のいずれか１項に記載の電力制御システム。
【請求項１０】
エアコンの家電機器制御手段は、エアコンの設定温度を制御する構成とする請求項６から９のいずれか１項に記載の電力制御システム。
【請求項１１】
エアコンの家電機器制御手段は、エアコンのモードを制御する構成とする請求項６から１０のいずれか１項に記載の電力制御システム。
【請求項１２】
請求項１〜１０のいずれか１項に記載の機能の少なくとも一部をコンピュータに実行させるためのプログラム。
【請求項１３】
請求項１２に記載のプログラムを記録したコンピュータ読み取り可能な記録媒体。
【発明の詳細な説明】
【技術分野】
【０００１】
本発明は、過電流による電流制限器の作動により電源遮断されることの防止手段として、自律的な機器の制御を行う電力制御装置及び電力制御システムに関するものである。
【背景技術】
【０００２】
従来の電力制御システムとして、使用前に機器がブレーカー装置に対して使用許可申請を行い、ブレーカー装置が使用許可判断を行うことにより、機器が許可された電力内で動作させるというものがある（例えば、特許文献１参照）。
【特許文献１】特開平１０−９４１９９号公報
【発明の開示】
【発明が解決しようとする課題】
【０００３】
しかしながら、従来の電力制御システムでは、使用が許可されない機器が使用可能となるためにはユーザーにより他の機器の電力を抑える制御をする必要があり、その手間がかかった。また、ユーザーが使用したい機器、つまり、優先順位が高い機器でも使用許可が下りなければ、使用できないという不便を生じていた。
【課題を解決するための手段】
【０００４】
上記従来の課題を解決するために、本発明の電力制御装置は、有線または無線による通信を介して宅内の家電機器と接続し、家電機器のそれぞれの使用電力量を算出する電力算出手段と、宅内で使用できる電力の上限値を設定する電力上限値設定手段と、家電機器の使用電力値を指定する電力制御信号を前記家電機器へ出力する電力制御手段とを備え、電力制御手段は、（ステップ１）家電機器のうち特定の家電機器である特定家電機器の使用電力量と特定家電機器以外の家電機器の使用電力量との総和が電力上限値設定手段により設定された上限値以上となると、特定家電機器以外の家電機器に対して使用電力量を所定分削減するための電力制御信号を前記電力制御手段から出力させる、（ステップ２）電力上限値設定手段により設定される上限値から、特定家電機器の使用電力量と前記ステップ１により使用電力量が削減された特定家電機器以外の家電機器の使用電力量との総和を減じた値を指定する電力制御信号を、電力制御手段から特定家電機器へ出力させることを行なうものである。
【０００５】
これによれば、ユーザーの手による電力制御を行う必要がなく、ユーザーの手間を省くことができる。また、ユーザーの優先度が高い機器を不便なく使用することができる。
【０００６】
また、上記従来の課題を解決するために、本発明の電力制御システムは、有線または無線による通信ネットワーク部を介して接続されたＩＨクッキングヒータと家電機器と電力制御装置で構成し、ＩＨクッキングヒータ、及び、家電機器は、家電機器の消費電力を測定または把握し、電力信号として出力する電力検知手段と、家電情報通信手段から入手された電力制御信号、及び、電力検知手段による電力信号に基づいて家電機器の制御を行う家電機器制御手段、通信ネットワーク部を介して電力制御システム、および、他の家電機器と電力情報信号、電力制御信号、または、家電機器の操作情報の通信を行う家電情報通信手段と、ＩＨクッキングヒータの家電機器制御手段はＩＨクッキングヒータの加熱電力を記憶し、コイル制御信号として出力するシーケンス記憶手段と前記シーケンス記憶手段のコイル制御信号に従ってコイルを制御するコイル電力制御手段と加熱を行うコイルを備え、電力制御装置は、商用電源の１つ以上の電気系統の電流を検知する電流検知手段と、商用電源の電圧を検知する電圧検知手段と、電流検知部と電圧検知部の検知情報から電力を算出する電力算出手段と、家電機器と通信する電力制御通信手段と、電力算出手段で算
出される電力の上限値を設定する電力上限値設定手段と、家電機器の使用優先度を設定する優先度設定手段と、前記電流上限値設定手段による電流上限値、電力上限値設定手段による電力上限値、優先度設定手段による優先度、電力制御通信手段からの家電機器の通信情報を入力し、家電機器の電力値を電力制御信号として決定し、電力制御通信手段に出力する電力制御手段を備えた電力制御システムである。
【０００７】
本発明の構成、動作によると、電力制御装置の電力制御手段は自律的に機器の電力を制御することによりユーザーの手による電力制御を行う必要がないため、ユーザーの手間を省くことができる。また、優先順位に従った機器の電力制御を行うため、ユーザーの優先度が高い機器を不便なく使用することができる。また、ＩＨ調理器を使用する場合の調理シーケンスによる電力変化を予め把握することにより、家電機器に対してより機敏な電力な電力制御を行うことができる。さらに、ＩＨ調理器を対象とした電力制御を行うことにより、電力を一番使用する調理時間での電流制限器の作動による電源遮断を防止することができる。
【発明の効果】
【０００８】
本発明の電力制御装置に備わる電力制御手段は、（ステップ１）家電機器のうち特定の家電機器である特定家電機器の使用電力量と特定家電機器以外の家電機器の使用電力量との総和が電力上限値設定手段により設定された上限値以上となると、特定家電機器以外の家電機器に対して使用電力量を所定分削減するための電力制御信号を前記電力制御手段から出力させる、（ステップ２）電力上限値設定手段により設定される上限値から、特定家電機器の使用電力量と前記ステップ１により使用電力量が削減された特定家電機器以外の家電機器の使用電力量との総和を減じた値を指定する電力制御信号を、電力制御手段から特定家電機器へ出力させることを行なうので、ユーザーの手による電力制御を行う必要がなく、ユーザーの手間を省くことができる。また、ユーザーの優先度が高い機器を不便なく使用することができる。
【０００９】
また、本発明の電力制御システムは、ＩＨ調理器が操作されて総電力がしきい値以上となると、各家電機器の機器情報に従って各家電機器の電力削減を行うとともに、シーケンス記憶手段が記憶する電力情報から求められる現在の電流制限器の余裕電力でＩＨ調理器を動作させるようにするので、ユーザーの手による電力制御を行う必要がなく、ユーザーの手間を省くことができる。また、ユーザーの優先度が高い機器を不便なく使用することができる。
【発明を実施するための最良の形態】
【００１０】
本発明は、有線または無線による通信を介して宅内の家電機器と接続し、家電機器のそれぞれの使用電力量を算出する電力算出手段と、宅内で使用できる電力の上限値を設定する電力上限値設定手段と、家電機器の使用電力値を指定する電力制御信号を前記家電機器へ出力する電力制御手段とを備え、電力制御手段は、（ステップ１）家電機器のうち特定の家電機器である特定家電機器の使用電力量と特定家電機器以外の家電機器の使用電力量との総和が電力上限値設定手段により設定された上限値以上となると、特定家電機器以外の家電機器に対して使用電力量を所定分削減するための電力制御信号を前記電力制御手段から出力させる、（ステップ２）電力上限値設定手段により設定される上限値から、特定家電機器の使用電力量と前記ステップ１により使用電力量が削減された特定家電機器以外の家電機器の使用電力量との総和を減じた値を指定する電力制御信号を、電力制御手段から特定家電機器へ出力させることを行なうものである。
【００１１】
これによれば、ユーザーの手による電力制御を行う必要がなく、ユーザーの手間を省くことができる。また、ユーザーの優先度が高い機器を不便なく使用することができる。
【００１２】
また、本発明は、有線または無線による通信ネットワーク部を介して接続されたＩＨクッキングヒータと家電機器と電力制御装置で構成する電力制御システムに関するもので、ＩＨクッキングヒータ、及び、家電機器は、家電機器の消費電力を測定または把握し、電力信号として出力する電力検知手段と、家電情報通信手段から入手された電力制御信号、及び、電力検知手段による電力信号に基づいて家電機器の制御を行う家電機器制御手段、通信ネットワーク部を介して電力制御システム、および、他の家電機器と電力情報信号、電力制御信号、または、家電機器の操作情報の通信を行う家電情報通信手段と、ＩＨクッキングヒータの家電機器制御手段はＩＨクッキングヒータの加熱電力を記憶し、コイル制御信号として出力するシーケンス記憶手段と前記シーケンス記憶手段のコイル制御信号に従ってコイルを制御するコイル電力制御手段と加熱を行うコイルを備え、電力制御装置は、商用電源の１つ以上の電気系統の電流を検知する電流検知手段と、商用電源の電圧を検知する電圧検知手段と、電流検知部と電圧検知部の検知情報から電力を算出する電力算出手段と、家電機器と通信する電力制御通信手段と、電力算出手段で算出される電力の上限値を設定する電力上限値設定手段と、家電機器の使用優先度を設定する優先度設定手段と、前記電流上限値設定手段による電流上限値、電力上限値設定手段による電力上限値、優先度設定手段による優先度、電力制御通信手段からの家電機器の通信情報を入力し、家電機器の電力値を電力制御信号として決定し、電力制御通信手段に出力する電力制御手段を備えた電力制御システムである。
【００１３】
このような構成、動作によると、電力制御装置の電力制御手段は自律的に機器の電力を制御することによりユーザーの手による電力制御を行う必要がないため、ユーザーの手間を省くことができる。また、優先順位に従った機器の電力制御を行うため、ユーザーの優先度が高い機器を不便なく使用することができる。また、ＩＨ調理器を使用する場合の調理シーケンスによる電力変化を予め把握することにより、家電機器に対してより機敏な電力な電力制御を行うことができる。さらに、ＩＨ調理器を対象とした電力制御を行うことにより、電力を一番使用する調理時間での電流制限器の作動による電源遮断を防止することができる。
【００１４】
また、本発明は、上記発明に加えて、ＩＨクッキングヒータの優先順位は１位とするものである。ＩＨクッキングヒータは調理に使用する家電機器であり、調理中の電力制御システムによる電力制御はユーザーに不便をかけるものなので、優先順位を１位にすることによりユーザーの利便性を向上することができる。
【００１５】
また、本発明は、上記発明に加えて、ＩＨクッキングヒータの機器情報記憶手段は、時間帯別の使用頻度関数を記憶する使用頻度関数記憶手段と、使用頻度関数記憶手段に従ってＩＨクッキングヒータの使用時間を予測する使用時間帯予測手段を備えたことを特徴とするものである。第３の発明の構成、動作によると、電力を多く使用するＩＨクッキングヒータの使用時間を予測することにより、事前に快適性をできるだけ落とさないような電力制御、一例としてあげると、エアコンの設定温度の時間をかけた制御を行うことができ、ユーザーの利便性をより向上することができる。
【００１６】
また、本発明は、上記発明に加えて、ＩＨクッキングヒータの使用終了予測時間、使用電力等の使用情報を報知する手段を家電機器に設けたことを特徴とするものである。第４の発明の構成、動作によると、報知手段を設け、ユーザーに電力制御に関する情報を報知することで、調理計画、家電機器の使用者計画を立てる余裕を与えることができる。また、一例にてあげると、エアコンの設定温度の自動制御の要因をユーザーが知ることができるので、よりユーザーに安心感を与えることができる。
【００１７】
また、本発明は、上記発明に加えて、家電機器の一つはエアコンとするものである。エアコンは各家庭に１台以上設定されている家電機器である。また、設定温度を少し変える
だけで、使用する電力を大きく変えることができ、そのときの快適性の低下も少ないことがわかっている。そこで、電力制御システムの制御対象としてエアコンを使用することにより、大きく電力を削減でき、かつ、快適性の低下を最小限に防ぐことができる。
【００１８】
また、本発明は、上記発明に加えて、エアコンの優先順位は２位以下とするものである。エアコンは各家庭に１台以上設定されている家電機器であり、制御レベルを少し変えるだけで、使用する電力を大きく変えることができ、そのときの快適性の低下も少ないことがわかっている。優先順位を２位以下にし、電力削減の制御を行った場合、大きな電力を削減しながら、快適性の低下を最小限にすることができる。
【００１９】
また、本発明は、上記発明に加えて、エアコンの家電機器制御手段は、コンプレッサの回転数を制御するものである。コンプレッサを制御することで冷暖房能力は下がることにより設定温度までに到達する時間が長くなるが、設定温度まで達成するので快適性の低下を最小限に抑えることができる。また、コンプレッサの消費電力はエアコンが使用する電力の中で大きなウェイトを占めているので、コンプレッサの回転数制御により大きな電力を削減することができる。
【００２０】
また、本発明は、上記発明に加えて、エアコンの家電機器制御手段は送風量を決める送風ファンの回転数を制御するものである。送風ファンの回転数を制御することにより、快適性の低下を最小限にすることが可能となる。
【００２１】
また、本発明は、上記発明に加えて、エアコンの家電機器制御手段は、エアコンの設定温度を制御する構成とするものである。一般にエアコンの設定温度の変化による消費電力の変化量は大きいが、その値を変えても快適性の低下は小さいことが知られている。そこで、エアコンの設定温度を制御することによりエアコンが消費する電力を削減しながら、快適性の低下を最小限にすることが可能となる。
【００２２】
また、本発明は、上記発明に加えて、エアコンの家電機器制御手段は、エアコンのモードを制御する構成とするものである。一般にエアコンのモードによる電力変化は大きいことが知られている。そこで、大きな電力を削減する必要がある場合は、エアコンのモードを変更することで実現することができる。
【００２３】
また、本発明は、上記発明におけるセンサユニットの機能の少なくとも一部をコンピュータに実行させるためのプログラムとすることにより、プログラムであるので、電気・情報機器、コンピュータ、サーバーなどのハードリソースを協働させてセンサユニットの少なくとも一部を容易に実現することができる。
【００２４】
また、本発明は、上記プログラムを記録したコンピュータ読み取り可能な記録媒体とすることにより、記録媒体に記録したり通信回線を用いてプログラムを配信したりすることで、プログラムの配布・更新やそのインストール作業が簡単にできる。
【００２５】
以下、本発明の実施の形態について、図面を参照しながら説明する。なお、この実施の形態によって本発明が限定されるものではない。
【００２６】
（実施の形態１）
本発明の実施の形態１の構成について図１で説明する。図１において、１はＩＨ調理器であり、第２の家電機器１５、第３の家電機器１６と比べて、電力使用時の優先順位が高いものとする。また、２は電力検知手段であり、ＩＨ調理器１で使用する電力を測定し、電力情報信号としてする。４は家電機器制御手段であり、電力検知手段２で検知した電力信号、家電情報通信手段３によって入手された家電制御信号、シーケンス記憶手段７によ
るシーケンス信号を入力とする。家電機器制御手段４は電力信号と家電制御信号に基づいて制御信号を出力し、コイル電力制御手段８によるコイル９の加熱電力を制御し、鍋１０を加熱する。６は操作手段であり、ユーザーによってＩＨ調理器の操作が行われる。シーケンス記憶手段７は、操作手段６による操作が行われた場合の電力シーケンスを記憶し、シーケンス信号として出力する。
【００２７】
家電情報通信手段３は、電力検知手段２による電力情報、家電機器制御手段５による制御信号、シーケンス記憶手段７によるシーケンス信号をアンテナ５で電波送信を行い、家電制御信号をアンテナ５で電波受信を行う。
【００２８】
ＩＨ調理器１は、電線１４、コンセント１３、プラグ１２、家電電線１１を通じて電気を供給され、上記でも説明したが、電力検知手段２によりＩＨ調理器１の電力を測定される。
【００２９】
また、第２の家電機器１５、第３の家電機器１６は、ＩＨ調理器１と同様の構成と備え、同様に、電力情報と制御信号をアンテナで外に電波送信を行い、家電制御信号をアンテナで外から電波受信を行う。
【００３０】
ＩＨ調理器１、第２の家電機器１５、第３の家電機器１６のプラグはコンセントを通じて全て電線１２に接続され、電力制御装置２６を介して、屋外の電力盤から電力を供給される。
【００３１】
電流検知手段１７は電力制御装置２６の電流を測定し、電圧検知手段１８は電力制御装置２６の電圧を測定する。電力算出手段１９は電流検知手段１７が測定した電流、電圧検知手段１８が測定した電圧を入力とし、電力を計算し、その値を総電力として出力する。電力制御通信手段２０はアンテナと接続され、電波２７によりＩＨ調理器１、第２の家電機器１５、第３の家電機器１６の家電情報通信手段と情報の送受信を行う。
【００３２】
電流上限値設定手段２２は、電流制御器２４、または、ブレーカーによる過電流検知が行われ、電源の遮断を行う電流値を電流上限値として記憶している。また、電力上限値設定手段２１は、同様に、電流制限器２４による過電力検知が行われ、電源の遮断を行う電力値を電力上限値として記憶している。だだし、電流制限器２４が過電流、過電力のどちらかを検知して、電源の遮断を行うかは、電流制限器２４の種類で異なる。
【００３３】
また、２５は優先順位設定手段であり、接続された家電機器、図１の例でいくとＩＨ調理器１、第２の家電機器１５、第３の家電機器１６が使用された場合の電力使用の優先順位を記憶しており、優先順位信号として出力する。なお、図１の例ではＩＨ調理器１の優先順位は１位とし、その他の機器は２位とする。
【００３４】
電力制御手段２３は、各家電機器からの通信信号、優先順位設定手段２５による優先順位信号、電流検知手段１７の電流、電力算出手段１９の電力、電流上限値設定手段２２の電流上限値、電力上限設定手段２１の電力上限値を入力する。電力制御装置２４に流れる電流が電流上限値をこえないように、家電機器、図１の例で行くと、ＩＨ調理器１、第２の家電機器１５、第３の家電機器１６の電力を優先順位に従ってそれぞれ決定し、各家電機器に電力制御信号として出力する。
【００３５】
また、同様に、電力制御装置２６に流れる電力が電力上限値をこえないように、また、家電機器、図１の例で行くと、ＩＨ調理器１、第２の家電機器１５、第３の家電機器１６の電力を優先順位に従ってそれぞれ決定し、各家電機器に電力制御信号として出力する。
【００３６】
次に、本発明の実施の形態１の動作について図２から図５を用いて説明する。
【００３７】
まず、図２を使用して、シーケンス記憶手段の動作を説明する。
【００３８】
図２は、横軸を時間、縦軸を電力として、一例としてＩＨ調理器１の炊飯工程の電力Ｐｗ１の電力変化を示した図である。
【００３９】
図２に示すように、炊飯工程は、米に十分吸水させる前炊き工程、強い火力で炊飯する火力工程、沸騰を維持する温度工程、余分な水分を飛ばすむらし工程、ご飯を保温する保温工程で構成される。各工程の目的が異なることから必要な加熱電力も異なる。また、各工程に必要な時間Ｔｓ１からＴｓ４は炊飯量、温度、気圧等の条件によって異なる。しかし、炊飯量がある程度わかれば、必要な加熱量はわかるため、各工程に必要な時間もある程度推定できる。もし炊飯量がわからない場合でも、工程の順番は変わらないし、工程に必要な最大電力量はわかっているため、必要な時間Ｔｓ１からＴｓ４の範囲を予測することができる。
【００４０】
つまり、工程、一例として示した炊飯工程を行っていることがわかれば、どの時間にどれぐらい電力が必要であるか推定することができる。よって、操作手段６でユーザーが操作された工程から、時間Ｔに対するＩＨ調理器の電力Ｐｗ１の変化を予測することができる。ＩＨ調理器の電力Ｐｗ１の変化を予め知ることができれば、ＩＨ調理器以外の家電機器１５、１６で使用できる電力も知ることができるので、電力制御手段２３による電力分配を余裕もって行うことができる。
【００４１】
図２の例で示すと、ＩＨ調理器１の炊飯工程開始後Ｔｓ１に、ＩＨ調理器１によって大電力Ｐｓ６を使用されることがわかるので、ユーザーに対して報知を行うこと、エアコンの設定温度をゆっくりと変更すること等のユーザーの利便性の低下を最小限に抑える制御を行うことがわかる。また、火力工程、温度工程終了後のＴｓ３には再び電力を使用することができるので、ユーザーに対してエアコンの設定温度回復までの時間を報知することができる等の行為を行うことができる。一例として示したが、ＩＨ調理器１の工程を知り、時間Ｔに対する電力Ｐｗ１の変化を推定することで、ユーザーにとってより快適な状態を提供することができる。
【００４２】
まず、図３を使用して、電力制御手段２３の動作について説明する。
【００４３】
図３は、横軸を時間、縦軸を電力として、ＩＨ調理器の電力Ｐｗ１、第１の家電機器１５の電力Ｐｗ２、第２の家電機器の電力Ｐｗ３の変化、各家電機器の電力の総和である総電力を示したグラフである。だだし、電流制限器２１の遮断電力Ｐ１も同時に示した。
【００４４】
図３では、ＩＨ調理器１が要求する電力Ｐ５、第２の家電機器が要求する電力Ｐ３、第３の家電機器が要求する電力Ｐ４も同時に示した。また、電流制限器２１による電力上限値Ｐ１も同時に示した。
【００４５】
図３において、時刻Ｔ１までＩＨ調理器１は動作されていないため、総電力Ｐは、電力Ｐ２、つまり、第２の家電機器の電力Ｐｗ１のＰ３と第３の家電機器の電力Ｐｗ２のＰ４の和であるＰ３＋Ｐ４となる。
【００４６】
時間Ｔ１において、ユーザーが操作手段２６の操作を行い、ＩＨ調理器１を使用したいと要求したとする。ＩＨ調理器１のシーケンス記憶手段７によりその時に必要な電力Ｐ５を出力し、家電情報通信手段４、アンテナ５、電力制御通信手段３を介して電力制御手段２３へ伝達する。
【００４７】
もしＩＨ調理器１を電力Ｐ５で使用したとすると、総電力Ｐは各家電機器の総和であるＰ３＋Ｐ４＋Ｐ５となる。これは図２より総電力Ｐは電流制限器２４の遮断電力である電力上限値Ｐ１を超えるので、電源が遮断されることとなり、全ての家電機器が使用できないという不具合が生じる。
【００４８】
そこで電力制御手段２３は、電流遮断器２４による遮断がおこらないことを目的として、各家電機器の電力制御を行う。優先順位に従ってＩＨ調理器１の使用を優先するが、第２の家電機器１５、第３の家電機器１６のユーザーが快適性をなるべく損なわないように、また、機器の耐久性、品質が悪くならないように制御を行う。
【００４９】
以下ではその具体的な電力制御に関して説明する。
【００５０】
図３において、時間Ｔ１でＩＨ調理器の使用要求がくると、総電力Ｐは電力上限値であるＰ１を大幅にこえるため、優先順位が低い第２の家電機器１５、第３の家電機器１６の電力Ｐｗ１、Ｐｗ２の削減を行う。第２の家電機器は図２の３２に示す電力０で、第３の家電機器は３３に示す電力Ｐ６の電力制御を行う。
【００５１】
ここで、第２の家電機器１５、第３の家電機器１６の電力削減方法を図４、図５、図６を使用して下記で説明する。
【００５２】
図４を説明する前に、一例として、第２の家電機器１５がエアコンであり、冷房を使用していると仮定する。図４は、第２の家電機器の電力Ｐｗ２、設定温度Ｔｓの時間変化を示した図である。
【００５３】
エアコンの電力を急激に下げるためには、現在の冷房から大幅な設定温度の変更、使用オフ、または、送風にする必要があるが、いきなりのモード変更は明らかにユーザーの快適性を大きく損なうこととなる。そこで、図４に示すように設定温度を徐々に電力が減る方向に制御することで、ユーザーへの報知によりユーザーのエアコン設置場所からの移動を促す等の方法により、快適性の低下をある程度まで防ぐことができる。
【００５４】
また、短期間の休止の場合は、冷媒とインバータの使用電力の関係により電源オフとか、送風モードにして、電力を削減するのではなく、設定温度を変えた方が次に立ち上がりに必要な電力が少なくなるため、結果として省エネになる場合もある。また、急激な電力の変化は、スイッチングのスパークによるリレーの耐久性の低下に見られるように耐久性にも問題を生じる場合がある。
【００５５】
このように一例にてエアコンで説明したが、電力を瞬時に大幅に低下させずに、徐々に変えていくように制御するのは、快適性、省エネ、耐久性の観点から必要なことである。
【００５６】
さらに、一例にて説明すると、エアコンの場合、電源をオフさせるのではなく、図３に示すようにＩＨ調理器１の電力が下がると再び第２の家電機器１５、第３の家電機器１６の電力を増加させるのがわかっていれば、すぐに電力を増加することができる電力、最低電力であるＰ６で動作させる方が、図３の時間Ｔ４で示すように、すぐに現状の電力Ｐ３まで復帰出るので、快適性の観点からもその方が望ましい場合がある。つまり、電力が復帰することを前提として最低電力を設ける必要がある場合が良い場合もあることがわかる。
【００５７】
故に、電力制御手段２３は、優先度の低い家電機器の電力制御信号による電力を段階的に下げることにより、電力の大幅な削減によるユーザーの利便性の低下を抑えることがで
きる。また、時間をかけて段階的に制御することによって、場所移動、メニュー変更等のユーザーによる行動時間を与えることができることができる。
【００５８】
また、図３に示すように、ＩＨ調理器１の電力Ｐｗ１は第２の家電機器１０の電力Ｐｗ２、第３の家電機器１１の電力Ｐｗ３を見ながら、総電力Ｐが電力上限値Ｐ１を超えないように制御を行う。その制御方法として、電力上限値を超えない電力で徐々に増やしていく方法とある程度経ってから一気に立ち上げる方法がある。そのどちらの方法を使用するかは、シーケンス記憶手段７のシーケンスで決定する。
【００５９】
また、ＩＨ調理器１として湯沸しを使用した場合、図５の鍋１０の水温の時間変化に示したように時刻Ｔ１から段階的に電力を使用した場合の方が時間Ｔ３から使用した場合と比べて明らかに早く湯を沸かすことができる。そのため、湯沸しに関しては電力上限値を超えない電力で徐々に増やしていく方法の方がユーザーの快適性、操作性も向上することがわかる。
【００６０】
しかし、図６に示すように、最初から大電力が必要な工程、例えば、炊飯工程であった場合は、段階的に上げるよりも時間Ｔ３の時点で動作したほうが、ご飯がふっくらと炊けるといった調理性能的に良い場合もある。つまり、炊飯工程に関してはある程度経ってから一気に立ち上げる方法の方がユーザーの快適性、操作性も向上することがわかる。
【００６１】
このように一例にて示したようにＩＨ調理器１の制御方法は色々あり、要はＩＨ調理器１のシーケンスに対してユーザーに利便性を向上される制御方法を選択すればよい。
【００６２】
故に、電力制御手段２０は、ＩＨ調理器１の電力制御信号による電力を段階的に上げることを特徴とするものであり、より電力の立ち上がりのよい家電機器を実現できるので、よりユーザーの利便性の高いものを提供することができる。
【００６３】
また、電力制御手段２３は、ＩＨ調理器１のシーケンス記憶手段７が記憶するシーケンスによって制御方法を変えるので、より利便性が高いものを提供することができる。
【００６４】
また、図３で示すように、電力制御手段２３は、優先度の低い家電機器の制御による電力低下を行った場合でもＩＨ調理器１の動作時の電力を確保できなかった場合は、電力上限値を上回らないような電力を最大電力として出力し、ＩＨ調理器１は電力制御装置２６の電力制御手段２３が示した最大電力を下回る電力で動作する。よって、常に電力上限値を超えることがなく、電流制限器による遮断が起こらないので、よりユーザーの利便性の高いものを提供することができる。
【００６５】
次に、図７のフローチャートを使用して、電力制御手段２３の全体の動作を一例にて説明する。
【００６６】
だだし、図７では、ＩＨ調理器１の電力をＰｗ１、第２の家電機器１５の電力をＰｗ２，第３の家電機器１６の電力をＰｗ３とする。また、図３に示すように、ＩＨ調理器１の要求電力をＰ５、電流制限器２４のしきい値をＰ１とする。さらに、総電力ＰはＩＨ調理器１、第２の家電機器１５、第３の家電機器１６の電力の総和とする。
【００６７】
まず、開始すると、ＩＨ調理器１の操作がされたどうかを確認し、操作されていなければ、第２の家電機器１５の電力Ｐｗ２、第３の家電機器１６の電力Ｐｗ３は定常使用、つまり、電力Ｐ３，Ｐ４を削減することなく動作させる（ステップ４０、４１、４２）。
【００６８】
ＩＨ調理器１１が操作手段６で操作されると、ＩＨ調理器１のシーケンス記憶手段７は
要求電力Ｐ５を通信手段により電力制御手段２３まで送信する（ステップ４３）。次に、要求電力Ｐ５を加えて予測される総電力Ｐ５＋Ｐ３＋Ｐ４がしきい値Ｐ１よりも大きいかどうかを判別する（ステップ４４）。しきい値Ｐ１よりも小さい場合は電流制御器２４による電源遮断が起きないとして、それぞれの機器は削減することなく、定常使用される（ステップ４５）。
【００６９】
もししきい値Ｐ１よりも大きければ、総電力を削減する必要があるとして、各家電機器の機器情報を入手し、機器情報に従って第２の家電機器１０の電力Ｐｗ２、第３の家電機器１１の電力Ｐｗ３の削減を行う（ステップ４６）。また、シーケンス記憶手段７が記憶する電力情報に従ってＩＨ調理器１の電力Ｐｗ１を仮決定する（ステップ４７）。現在の電流制限器２１の余裕電力であるＰ１−Ｐｗ２−Ｐｗ３が第１の家電機器の仮決定した電力Ｐｗ１と比較して、余裕電力よりも電力Ｐｗ１が大きければ、Ｐｗ１を余裕電力Ｐ１−Ｐｗ２−Ｐｗに変更する（ステップ５０）。次にＩＨ調理器１を決定した電力Ｐｗ１で動作するように、制御を行う（ステップ５１）。
【００７０】
さらに、ＩＨ調理器１の電力がオフされたかどうかを判定し、オフされていなければ、ステップ４４から５１を繰り返し、オフされていればステップ４１まで戻る（ステップ４１）。
【００７１】
実施の形態１の発明は、有線または無線による通信ネットワーク部を介して接続されたＩＨクッキングヒータと家電機器と電力制御装置で構成する電力制御システムにおいて、ＩＨクッキングヒータ、及び、家電機器は、家電機器の消費電力を測定または把握し、電力信号として出力する電力検知手段と、家電情報通信手段から入手された電力制御信号、及び、電力検知手段による電力信号に基づいて家電機器の制御を行う家電機器制御手段、通信ネットワーク部を介して電力制御システム、および、他の家電機器と電力情報信号、電力制御信号、または、家電機器の操作情報の通信を行う家電情報通信手段と、ＩＨクッキングヒータの家電機器制御手段はＩＨクッキングヒータの加熱電力を記憶し、コイル制御信号として出力するシーケンス記憶手段と前記シーケンス記憶手段のコイル制御信号に従ってコイルを制御するコイル電力制御手段と加熱を行うコイルを備え、電力制御装置は、商用電源の１つ以上の電気系統の電流を検知する電流検知手段と、商用電源の電圧を検知する電圧検知手段と、電流検知部と電圧検知部の検知情報から電力を算出する電力算出手段と、家電機器と通信する電力制御通信手段と、電力算出手段で算出される電力の上限値を設定する電力上限値設定手段と、家電機器の使用優先度を設定する優先度設定手段と、前記電流上限値設定手段による電流上限値、電力上限値設定手段による電力上限値、優先度設定手段による優先度、電力制御通信手段からの家電機器の通信情報を入力し、家電機器の電力値を電力制御信号として決定し、電力制御通信手段に出力する電力制御手段を備えた電力制御システムである。
【００７２】
実施の形態１の構成、動作によると、電力制御装置の電力制御手段は自律的に機器の電力を制御することによりユーザーの手による電力制御を行う必要がないため、ユーザーの手間を省くことができる。また、優先順位に従った機器の電力制御を行うため、ユーザーの優先度が高い機器を不便なく使用することができる。また、ＩＨ調理器を使用する場合の調理シーケンスによる電力変化を予め把握することにより、家電機器に対してより機敏な電力な電力制御を行うことができる。さらに、ＩＨ調理器を対象とした電力制御を行うことにより、電力を一番使用する調理時間での電流制限器の作動による電源遮断を防止することができる。
【００７３】
実施の形態１の発明は、ＩＨクッキングヒータの優先順位は１位とするものである。ＩＨクッキングヒータは調理に使用する家電機器であり、調理中の電力制御システムによる電力制御はユーザーに不便をかけるものなので、優先順位を１位にすることによりユーザ
ーの利便性を向上することができる。
【００７４】
また、実施の形態１の発明は、ＩＨクッキングヒータの使用終了予測時間、使用電力等の使用情報を報知する手段を家電機器に設けたことを特徴とするものである。実施の形態１の発明の構成、動作によると、報知手段を設け、ユーザーに電力制御に関する情報を報知することで、調理計画、家電機器の使用者計画を立てる余裕を与えることができる。また、一例にてあげると、エアコンの設定温度の自動制御の要因をユーザーが知ることができるので、よりユーザーに安心感を与えることができる。
【００７５】
（実施の形態２）
本発明の実施の形態２の構成について説明する。実施の形態２は、実施の形態１に加えて、第２の家電機器１５、第３の家電機器１６としてエアコンを使用するものである。よって、以下では実施の形態２の構成、動作について、実施の形態１の構成、動作との相違点を中心に述べ、それ以外の構成、動作は実施の形態１と同じものとする。
【００７６】
第２の家電機器１５、第３の家電機器１６をエアコンとし、優先順位を２位以下とするのは以下の理由からである。
【００７７】
エアコンは各家庭に１台以上設定されている家電機器であり、電力制御システムをどの家庭でも実現できることが理由の一つである。また、一例にて上げると冷房の場合は設定温度１℃上げるだけで電力が約１０％削減することできる等、設定温度を少し変えるだけで使用する電力を大きく変えることができ、そのときの快適性の低下も少ないことが様々な実験よりわかっている。第２の家電機器１５、第３の家電機器としてエアコンを使用することにより、大きく電力を削減でき、かつ、快適性の低下を最小限に防ぐことができることがもう一つの理由である。
【００７８】
実施の形態２の構成について図８で説明する。図８は第２の家電機器１５、第３の家電機器１６をエアコンとし、その構成を示している。
【００７９】
図８において、６０はエアコン操作手段であり、ユーザーによってエアコンを操作することができる。エアコン操作手段６０による操作情報は設定温度制御記憶手段６１とエアコンモード記憶手段６２に入力される。
【００８０】
設定温度制御記憶手段６１はエアコン操作手段６０の操作情報、或いは、エアコン機器制御手段６３のエアコン制御信号である設定温度に室温がなるようなパラメータ、一例にて上げると、ＰＩＤ制御、ファジィ制御の制御パラメータを出力する。
【００８１】
また、エアコンモード記憶手段６２はエアコンのモード、冷房、暖房、除湿、送風等のモード時の送風ファンの制御方式、コンプレッサの制御方式等の制御方式を記憶している。エアコンモード記憶手段６２は、エアコン操作手段６０の操作情報、或いは、エアコン機器制御手段６３のエアコン制御信号であるエアコンモードを入力とし、最適な制御方式を出力する。
【００８２】
エアコン機器制御手段６３は、アンテナ５、家電情報通信手段４を介して取得された家電制御信号、設定温度制御記憶手段６１の制御パラメータ、エアコンモード記憶手段６２の制御方式を入力している。エアコン機器制御手段６３は、家電制御信号の電力を設定電力としてそれ以下の電力で動作すること、かつ、ユーザーの快適を保つ、もしくは、快適性の低減を防ぐことを同時実現に向けて、エアコンの制御を行う。また、一例としてあげると、設定電力以内になるのが、設定温度の変更であれば必要な制御パラメータを設定温度記憶手段６１から取得したり、エアコンモードの変更であれば必要な制御方式をエアコ
ンモード記憶手段６２により取得する。
【００８３】
また、エアコン機器制御手段６３は、上記で取得した制御パラメータ、制御方式を実行するために、コンプレッサ制御手段６４にコンプレッサ制御信号を、送風ファン制御手段６５に送風ファン制御信号を出力する。
【００８４】
コンプレッサ制御手段６４はエアコンの冷房、または、暖房を実現するコンプレッサ７０の回転数を制御することで、冷房能力、または、暖房能力を制御する。
【００８５】
以下では、エアコンによる冷房のメカニズムを説明することで、図８の構成を説明する。暖房は冷房の反対のメカニズムで実現される。
【００８６】
１）エアコンの屋外機７６から屋内機７５に液体の状態で冷媒が壁７４を通過する第２のパイプ７３を介して送られる。
【００８７】
２）アルミのフィンである屋内機７５の蒸発器６８で冷媒が蒸発し蒸発器７５を冷たく冷やす。
【００８８】
３）送風ファン制御手段６５の送風ファン制御信号に従って屋内機７５の送風ファン６７で蒸発器６８の間に風を送り、エアコンの屋内機７５から冷たい風が吹き出す。
【００８９】
４）蒸発器６８で蒸発し気体になった冷媒が壁７４を通過する第１のパイプ７２を介して屋外機７６に戻ってくる。
【００９０】
５）エアコン電源７１の電源をつながったコンプレッサ７０はコンプレッサ制御手段６４のコンプレッサ制御信号によって制御されながら、冷媒を圧縮する。
【００９１】
６）コンプレッサ７０で圧縮され高温になった冷媒は凝縮器６９に送られ、屋外機７６のファンで冷まされ、冷媒は液体になる。
【００９２】
７）再度、屋内機７５にフロンガスが送られ、（１）〜（６）を繰り返す。
【００９３】
上記で説明したように、エアコンの能力を決定するのはコンプレッサ７０の能力、及び、送風ファン６７の能力であることがわかる。具体的には、コンプレッサ７０の圧縮を実現する回転数、送風ファン６７の回転数を制御することによりエアコン能力を変更することができる。また、エアコンが消費する電力の大部分はコンプレッサ７０、送風ファン６７であることから、エアコンの電力と冷房能力（または、暖房能力）には強い相関関係がある。だだし、コンプレッサ７０と送風ファン６７の電力を比較した場合、一般にはコンプレッサ７０の方が大きい。
【００９４】
次に、エアコン機器制御手段６３の動作について図９を用いて一例にて説明する。
【００９５】
図９は、縦軸を室温度Ｔａ、横軸を時間Ｔとして、コンプレッサ７０の回転速度を抑えた場合と通常の回転数の場合の室温度の変化を示したものである。
【００９６】
図９に示すように、最初３０度であった室温度は通常の回転数では時間Ｔａ１で、回転数を抑えた場合でも時間Ｔａ２で設定温度になることがわかる。コンプレッサ７０の回転数を抑えて、冷房能力を低下した場合でも、設定温度になるまでの時間が遅くなるだけであることがわかる。つまり、時間Ｔａ２以降ではユーザーは快適に過ごすことができる。
【００９７】
上記で説明したように、コンプレッサ７０の回転数はエアコンが消費する電力の多くを占めるので回転数をさげることで大きな電力削減をすることができる。
【００９８】
エアコン機器制御手段６３は、エアコンの冷房能力を抑えることにより電力を削減すると決定すると、コンプレッサ制御手段６４へコンプレッサ制御信号を出力する。このことにより、エアコンが消費する電力を大幅に削減しながらも、ユーザーの快適性の低下を最小限に抑えることができる。
【００９９】
また、エアコン制御手段６３は、快適性の低下をさらに最小限にするように、追加して送風ファン６７の送風量の制御を行う。
【０１００】
エアコンの快適性を示す指標であるＰＭＶ値は、室温に加えて、送風量も大きく依存し、一般に送風量が多くすることによりＰＭＶ値を快適方向にすることができる。一例として上げると、部屋が想定以上に大きく、コンプレッサ７０の回転数低下により十分な冷房能力が得られない場合でも、送風ファン６７の送風量を大きくすることで快適性の低下を最小限にすることができる。
【０１０１】
エアコン機器制御手段６３は、コンプレッサ７０の回転数の低下により冷房能力が実環境に対して不足していると認識すると、送風ファン制御手段６５へ送風ファン制御信号を出力し、快適性の低下を最小限に抑える。
【０１０２】
実施の形態２は、家電機器の一つはエアコンとするものである。エアコンは各家庭に１台以上設定されている家電機器であることから、どの家でも電力制御システムを実現することができる。
【０１０３】
また、エアコンの優先順位は２位以下とするものである。エアコンは、制御レベルを少し変えるだけで、使用する電力を大きく変えることができ、そのときの快適性の低下も少ないことがわかっている。優先順位を２位以下にし、電力削減の制御を行った場合、大きな電力を削減しながら、快適性の低下を最小限にすることができる。
【０１０４】
また、エアコンの家電機器制御手段は、コンプレッサの回転数を制御するものである。コンプレッサを制御することで冷暖房能力は下がることにより設定温度までに到達する時間が長くなるが、設定温度まで達成するので快適性の低下を最小限に抑えることができる。
【０１０５】
また、エアコンの家電機器制御手段は送風量を決めるモータの回転数を制御するものである。エアコンの送風量を決定するモータの回転数を制御することで、快適性の低下を最小限にすることが可能となる。
【０１０６】
また、エアコンの家電機器制御手段は、エアコンの設定温度を制御する構成とするものである。一般にエアコンの設定温度の変化による消費電力の変化量は大きいが、その値を変えても快適性の低下は小さいことが知られている。そこで、エアコンの設定温度を制御することによりエアコンが消費する電力を削減しながら、快適性の低下を最小限にすることが可能となる。
【０１０７】
また、エアコンの家電機器制御手段は、エアコンのモードを制御する構成とするものである。一般にエアコンのモードによる電力変化は大きいことが知られている。そこで、大きな電力を削減する必要がある場合は、エアコンのモードを変更することで実現することができる。
【０１０８】
（実施の形態３）
本発明の実施の形態３の構成について説明する。実施の形態３は、実施の形態１に加えて、家電機器制御手段４に関する構成、動作を詳細に説明するものである。よって、以下では実施の形態３の構成、動作について、実施の形態１の構成、動作との相違点を中心に述べ、それ以外の構成、動作は実施の形態１と同じものとする。
【０１０９】
図１０において、８０は使用時間判断手段であり、電力検知手段２の電力と電力しきい値記憶手段８１の電力しきい値を入力としている。使用時間判断手段８０は電力と電力しきい値を比べて、電力が大きければＩＨ調理器１を使用していると判断し、使用信号として出力する。使用時間帯記憶手段８２は使用時間判断手段８０の使用信号を入力とし、時間帯別の使用回数として記憶している。
【０１１０】
また、使用時間帯予測手段８３は使用時間帯用しきい値記憶手段８４の使用予測しきい値回数と使用時間帯記憶手段８２の使用時間帯別の使用回数からＩＨ調理器が使用される可能性を予測し、家電情報通信手段３へ出力する。
【０１１１】
次に、使用時間判断手段８０の動作を図１１で説明するが、その前に電力制御装置２６の総電力ＰｔとＩＨ調理器１の電力Ｐｓの関係を図１１で説明する。だだし、図１１は横軸を時刻Ｔ、縦軸を総電力Ｐｔ、ＩＨ調理器の電力Ｐｓとして図示したものである。
【０１１２】
図１１に示すように、総電力ＰｓとＩＨ調理器の電力Ｐｓには大きな相関があり、ＩＨ調理器１を使用している時間帯で総電力が大きい場合が多い。これはＩＨ調理器の電力が大きいこと、また、ＩＨ調理器１を含めた調理で使用する電気機器の数が多いことが要因である。つまり、ＩＨ調理器１を使用する可能性が高い時間帯を予測し、その時間帯になる前に第２の家電機器１５、第３の家電機器１６の電力をユーザーの利便性を考えながら予め落とすことでユーザーにより快適な電力制御システムを提供することができる。
【０１１３】
図１１で使用時間判断手段８０の動作を説明する。図１１には電力しきい値記憶手段８１の電力しきい値を同時に示した。
【０１１４】
図１１に示すようにＩＨ調理器１の電力を用いてＩＨ調理器の使用時間帯の判断を行う。具体的には、ＩＨ調理器の電力Ｐｓと電力しきい値Ｐｈを比較して、電力しきい値Ｐｈ以上の電力の時間帯は今後も使用する可能性が高いと判断する。
【０１１５】
使用時間判断手段８０は、電力しきい値記憶手段８１が記憶する電力しきい値と電力検知手段２の電力を比較して、ＩＨ調理器が使用された時間を判断する。使用時間帯記憶手段８２は、使用時間判断手段８０が判断した使用時間を時間帯別に保存し、使用回数として記憶する。
【０１１６】
次に使用時間帯予測時間８３の動作を図１２で説明する。図１２は横軸を時刻Ｔ、縦軸を時間帯別の使用回数Ｎを図示したものである。図１２に示すように、使用回数Ｎが大きい時間帯は今後も使用される可能性が高い時間帯として判断する。具体的には、使用回数Ｎと使用時間帯しきい値Ｎｈを比較し、その時間帯の使用可能性を判断する。
【０１１７】
使用時間帯予測手段８３は、使用時間帯記憶手段８２の使用回数と使用時間帯しきい値記憶手段８３のしきい値を比較して、ＩＨ調理器の使用可能性を判断する。
【０１１８】
実施の形態３の発明は、ＩＨクッキングヒータの機器情報記憶手段は、時間帯別の使用頻度関数を記憶する使用頻度関数記憶手段と、使用頻度関数記憶手段に従ってＩＨクッキングヒータの使用時間を予測する使用時間帯予測手段を備えたことを特徴とするものであ
る。実施の形態１の構成、動作によると、電力を多く使用するＩＨクッキングヒータの使用時間を予測することにより、事前に快適性をできるだけ落とさないような電力制御、一例としてあげると、エアコンの設定温度の時間をかけた制御を行うことができ、ユーザーの利便性をより向上することができる。
【産業上の利用可能性】
【０１１９】
以上のように、本発明にかかる電力制御システム、電力制御システムの制御方法及びプログラムは、家庭内の小規模なシステムや家庭以外の大規模なシステムにも同様の方法が適用でき、省エネの観点からも電流上限値を設定したい場合には、同様の方法で適用できる。
【図面の簡単な説明】
【０１２０】
【図１】本発明の電力制御システムのシステム構成図
【図２】電力制御手段の動作を説明する電力と時間の関係を表す図
【図３】電力制御手段の動作を説明する設定温度と電力の関係を示す図
【図４】電力制御手段の動作を示す湯温度と時間の関係を示す図
【図５】電力制御手段の動作を説明する湯温度と時間の関係を表す図
【図６】電力制御手段の動作を説明する電力と時間の関係を表す図
【図７】電力制御手段の動作を示すフローチャート
【図８】本発明の実施の形態２の電力制御システムのシステム構成図
【図９】実施の形態２の動作を示す室温度と時間の関係を示す図
【図１０】家電機器制御手段の構成図
【図１１】使用時間判断手段の動作を説明する電力と時間の関係を示す図
【図１２】使用時間帯予測手段の動作を説明する使用回数と時刻の関係を示す図
【符号の説明】
【０１２１】
１  ＩＨ調理器
２  電力検知手段
３  家電情報通信手段
４  家電機器制御手段
５  アンテナ
６  操作手段
７  シーケンス記憶手段
８  コイル制御手段
９  コイル
１０  鍋
１１  家電電線
１２  プラグ
１３  コンセント
１４  電線
１５  第２の家電機器
１６  第３の家電機器
１７  電流検知手段
１８  電圧検知手段
１９  電力算出手段
２０  電力制御通信手段
２１  電力上限値設定手段
２２  電流上限値設定手段
２３  電力制御手段
２４  電流制限器
２５  優先順位設定手段
２６  電力制御装置
６０  エアコン操作手段
６１  設定温度制御記憶手段
６２  エアコンモード記憶手段
６３  エアコン機器制御手段
６４  コンプレッサ制御手段
６５  送風ファン制御手段
６６  送風ファンモータ
６７  送風ファン
６８  蒸発器
６９  凝縮器
７０  コンプレッサ
７１  エアコン電源
７２  第１のパイプ
７３  第２のパイプ
７４  壁
８０  使用時間判断手段
８１  電力しきい値記憶手段
８２  使用時間帯記憶手段
８３  使用時間帯予測手段
８４  使用時間帯しきい値記憶手段
【図１】
2010161888.tif 000003
【図２】
2010161888.tif 000004
【図５】
2010161888.tif 000005
【図７】
2010161888.tif 000006
【図９】
2010161888.tif 000007
【図１０】
2010161888.tif 000008
【図１１】
2010161888.tif 000009
【図３】
2010161888.tif 000010
【図４】
2010161888.tif 000011
【図６】
2010161888.tif 000012
【図８】
2010161888.tif 000013
【図１２】
2010161888.tif 000014